(57)【要約】【課題】  設置場所により通信性能が低下しないようにする。【解決手段】  無線通信装置２には、アンテナエレメントと、アンテナエレメントで受信した指令信号に基づいて放電灯を点灯制御する制御部が内蔵されている。無線通信装置２を取付金具２１により所定の間隔を持って安定器１の安定器ケース１０の側面に取り付ける。安定器ケース１０の側面にはスライドレール１１が形成されており、取付金具２１をスライドレール１１上を摺動させて無線通信装置２を金属製の安定器ケース１０に取り付ける。安定器ケース１０は、アンテナエレメントの反射板として機能する。【選択図】  図１
2012174454.tif 000002
【特許請求の範囲】
【請求項１】
受信した指令信号を安定器に供給して、該安定器に接続されている照明器具の遠隔点灯制御を行える無線通信装置において、
無線部ケースと、
該無線部ケースの下面を閉塞するよう取り付けられる底板と、
前記無線部ケースと前記底板とで形成される収納空間内に収納される指令信号を受信するアンテナエレメントと、
前記収納空間内に収納される無線通信部とを備え、
前記無線部ケースに取り付けられた前記底板が、前記安定器における金属製の安定器ケースに、前記安定器ケースが前記アンテナエレメントの反射板として機能するよう所定の間隔を持って取り付けられていることを特徴とする遠隔点灯制御システム用の無線通信装置。
【請求項２】
前記底板に所定高さの取付金具が固着されており、前記無線部ケースに取り付けられた前記底板が前記取付金具により前記安定器ケースに取り付けられることを特徴とする請求項１記載の遠隔点灯制御システム用の無線通信装置。
【請求項３】
直方体状の形状とされている前記安定器ケースの１辺の長さが、遠隔制御に使用する周波数帯の波長λに対して、少なくとも０．５λ以上とされていることを特徴とする請求項１記載の遠隔点灯制御システム用の無線通信装置。
【請求項４】
前記アンテナエレメントは、線状または板状またはプリント基板上に形成されたプリント導体からなるアンテナエレメントとされており、該アンテナエレメントが前記安定器ケースに対してほぼ平行となるよう配置されていることを特徴とする請求項１記載の遠隔点灯制御システム用の無線通信装置。
【請求項５】
前記アンテナエレメントと前記安定器ケースとの所定の間隔が、遠隔制御に使用する周波数帯の波長λに対して、約０．０５λ〜約０．５１λとされていることを特徴とする請求項１記載の遠隔点灯制御システム用の無線通信装置。
【請求項６】
前記安定器ケースの４側面の長手方向にスライドレールが設けられており、
該スライドレールに摺動可能に前記取付金具が取り付けられることを特徴とする請求項２記載の遠隔点灯制御システム用の無線通信装置。
【請求項７】
前記スライドレールの入口部に次第に幅が狭くなる第１テーパ部が形成されており、前記取付金具には次第に幅が広くなる第２テーパ部が形成されており、前記スライドレールに前記取付金具を摺動させた際に、前記第１テーパ部に前記第２テーパ部が係合することを特徴とする請求項６記載の遠隔点灯制御システム用の無線通信装置。
【請求項８】
前記スライドレール上に凹部が設けられ、前記取付金具に凸状のエンボスが設けられており、前記第１テーパ部に前記第２テーパ部が係合する際に、前記凹部に前記エンボスが嵌合することを特徴とする請求項７記載の遠隔点灯制御システム用の無線通信装置。
【請求項９】
前記取付金具がコ字状とされており、前記安定器ケースの４側面の長手方向に設けられた対向するスライドレールに、前記取付金具の両端部がそれぞれ挿入されることにより、前記取付金具が前記安定器ケースに取り付けられることを特徴とする請求項２記載の遠隔点灯制御システム用の無線通信装置。
【請求項１０】
少なくとも前記底板と接触する前記取付金具の面が樹脂層で覆われていることを特徴とする請求項６または９記載の遠隔点灯制御システム用の無線通信装置。
【発明の詳細な説明】
【技術分野】
【０００１】
本発明は、照明器具を遠隔で制御する遠隔点灯制御システムに用いる無線通信装置に関する。
【背景技術】
【０００２】
従来、放電灯等の複数の照明器具を制御するシステムとして、制御盤と、照明器具ごとに設けられた安定器とがそれぞれ有線接続されている点灯制御システムが知られている。また、有線接続することに替えて、赤外線を用いて放電灯を遠隔で制御する点灯制御システムも知られている。さらに、照明器具の遠隔制御の範囲を赤外線より広げるため、無線を利用して放電灯等の照明器具を遠隔で制御する遠隔点灯制御システムが、従来から提案されている。
【０００３】
従来の照明器具を遠隔で制御する遠隔点灯制御システム１００の構成の一例を図１２に示す。
図１２に示す遠隔点灯制御システム１００の回路ブロック図において、ＨＩＤ(High Intensity Discharge)ランプ１１３，ＨＩＤランプ１１５，ＨＩＤランプ１１７は放電灯の照明器具とされ、遠隔点灯制御システム１００は、これらの複数の放電灯の点灯を遠隔で制御するシステムとされている。ＨＩＤランプ１１３，ＨＩＤランプ１１５，ＨＩＤランプ１１７は、それぞれ対応する安定器１１２，安定器１１４，安定器１１６により点灯制御される。安定器１１２，１１４，１１６には電源ケーブルを介して電源１１０から電力が供給されている。安定器１１２，１１４，１１６はそれぞれ制御部１１２ｂ、１１４ｂ、１１６ｂを備えており、制御部１１２ｂ、１１４ｂ、１１６ｂがそれぞれＨＩＤランプ１１３，１１５，１１７の点灯制御を行っている。点灯制御には、ＨＩＤランプの点灯、消灯、調光、不点灯検出後の制御、点灯回数に基づく制御、点灯累積時間に基づく制御などが含まれる。また、安定器１１２，１１４，１１６はそれぞれ無線部１１２ａ、１１４ａ、１１６ａを備えており、無線部１１２ａ、１１４ａ、１１６ａは送信装置１１１から送信されたＨＩＤランプ毎の点灯制御に用いられる指令信号を受信して、受信した指令信号をそれぞれの制御部１１２ｂ、１１４ｂ、１１６ｂへ供給している。
【０００４】
安定器１１２，１１４，１１６はいずれも同じ構成とされており、例として安定器１１２の構成を示す回路ブロック図を図１３に示す。
図１３に示す安定器１１２は、制御部１１２ｂと無線部１１２ａとを備え、制御部１１２ｂはＨＩＤランプ１１３の調光制御をＰＷＭにより行っている。この制御部１１２ｂにおいて、電源１１０からの電力はノイズ除去用のフィルタ１３１を介して降圧チョッパ回路１３３に供給される。降圧チョッパ回路１３３は、電源１１０から供給された電力をデューティ比を調整することによりＨＩＤランプ１１３の点灯に必要な直流電圧に変換している。この直流電圧はフルブリッジ回路１３４に供給されて矩形波電圧に変換され、この矩形波電圧は点灯回路１３５に供給される。点灯回路１３５は、ＨＩＤランプ１１３を点灯させるためにＨＩＤランプ１１３の電極間に高電圧のパルスを印加して絶縁破壊を起こさせることにより放電を開始させる回路である。
【０００５】
無線部１１２ａの各部には、制御部１１２ｂに設けられた電源回路１３２により調整された所定の直流電圧が動作電源として供給されている。無線部１１２ａは、送信装置１１１から送信された指令信号を受信するアンテナ１４０と、アンテナ１４０の受信信号が供給され、受信信号を復調して指令信号を取得する無線回路１３９と、無線回路１３９で得られた指令信号を受けて制御部１１２ｂを制御することによりＨＩＤランプ１１３の点灯制御を行うＣＰＵ（Central Processing Unit）１３８と、安定器１１２に一意の識別番号を設定するＤＩＰスイッチ１３７とを備えている。ＤＩＰスイッチ１３７により任意の識別番号を設定することができ、設定された識別番号は、ＣＰＵ１３８に読み取られる。ここで、送信装置１１１から送信された指令信号には、指令情報の他に識別情報が含まれており、この識別情報と一致する識別番号の安定器に指令信号が送信装置１１１から送られる。すなわち、予め指令信号に識別情報を含めておくことにより、指令信号の送信先となる安定器を特定することができる。識別番号は、いわゆる安定器毎のアドレス情報になる。
【０００６】
無線部１１２ａが自己の安定器１１２への指令信号を受信した際に、指令信号が調光制御の信号である場合は、ＣＰＵ１３８は調光制御の信号を降圧チョッパ回路１３３に印加する。降圧チョッパ回路１３３では、デューティ比を変更したＰＷＭの波形信号によって電源１１０からの電力を適正な値のランプ電流に制限し、これによってＨＩＤランプ１１３の調光制御を行う。指令信号は、調光に限らず、通常の点灯・消灯制御を行う指令信号などの各種の点灯制御用の指令信号とすることができる。
【先行技術文献】
【特許文献】
【０００７】
【特許文献１】特開２００２−７５６８３号公報
【特許文献２】特開２０１０−２４４９８５号公報
【発明の概要】
【発明が解決しようとする課題】
【０００８】
従来の無線を利用した遠隔点灯制御システム１００における安定器は無線部と制御部とを備えているが、安定器のケースは放熱を兼ねて金属製とされていることから、アンテナを備える無線部を内蔵させることができない。そこで、安定器には制御部だけを内蔵するようにして、無線部は別体の無線通信装置として安定器とは別に設けるようにしている。この場合、無線通信装置は制御部を内蔵した安定器とケーブルを介して接続され、この安定器はＨＩＤランプとケーブルを介して接続されることから、無線通信装置および安定器はＨＩＤランプの近傍に設置される。ＨＩＤランプは例えば天井、側壁、建物の鉄骨等に設置されることから、安定器と無線通信装置は天井、側壁内のＨ鋼やＬ型アングル、あるいは、建物の鉄骨等に設置されることになる。このため、無線通信装置のアンテナが設置場所における金属の影響を受け、通信性能が著しく低下することがあった。また、無線通信装置は、設置されるＨ鋼及びＬ型アングル等の鉄骨によって設置位置や取付方法が異なるようになるので作業効率が悪く、取付工数が増加しコスト高になっていた。このように、従来の遠隔点灯制御システム用の無線通信装置は、設置場所により通信性能が低下する恐れがあると共に取り付けのコストが高いという問題点があった。
そこで、本発明は、設置場所により通信性能が低下することがないと共に取り付けのコストを安価にすることのできる遠隔点灯制御システム用の無線通信装置を提供することを目的としている。
【課題を解決するための手段】
【０００９】
本発明の遠隔点灯制御システム用の無線通信装置は、受信した指令信号を安定器に供給して、該安定器に接続されている照明器具の遠隔点灯制御を行える無線通信装置において、無線部ケースと、該無線部ケースの下面を閉塞するよう取り付けられる底板と、前記無線部ケースと前記底板とで形成される収納空間内に収納される指令信号を受信するアンテナエレメントと、前記収納空間内に収納される無線通信部とを備え、前記無線部ケースに取り付けられた前記底板が、前記安定器における金属製の安定器ケースに、前記安定器ケースが前記アンテナエレメントの反射板として機能するよう所定の間隔を持って取り付けられていることを最も主要な特徴としている。
【発明の効果】
【００１０】
本発明によれば、安定器ケースがアンテナ部の反射板として機能するよう所定の間隔をもって、安定器ケースに無線通信装置を取り付けるようにしたので、無線通信装置をＨ鋼及びＬ型アングル等の鉄骨に設置する必要性をなくすことができる。このため、無線通信装置の設置場所は安定器に固定されることから、設置場所により無線通信装置の通信性能が低下することがないと共に、無線通信装置の取り付けのコストを安価にすることができる。
【図面の簡単な説明】
【００１１】
【図１】本発明の実施例にかかる無線通信装置が取り付けられた安定器の構成を示す斜視図である。
【図２】本発明の実施例にかかる無線通信装置が取り付けられた安定器の構成を断面図で示す正面図である。
【図３】本発明にかかる無線通信装置を安定器に取り付ける態様を示す斜視図である。
【図４】本発明にかかる無線通信装置が取り付けられる安定器の安定器ケースの一部の構成を拡大して示す図である。
【図５】本発明にかかる無線通信装置の構成を示す斜視図である。
【図６】本発明にかかる無線通信装置において、無線部ケースを取り外した内部構成を示す斜視図である。
【図７】本発明にかかる無線部ケースを取り外した無線通信装置が取り付けられた安定器の構成を断面図で示す正面図である。
【図８】本発明にかかる無線通信装置の取付金具の構成を示す斜視図である。
【図９】本発明の実施例にかかる無線通信装置が異なる態様で取り付けられた安定器の構成を示す斜視図である。
【図１０】本発明にかかる無線通信装置の安定器との間隔に対する利得特性を示す図である。
【図１１】本発明にかかる無線通信装置の指向特性を示す図である。
【図１２】従来の遠隔点灯制御システムの構成を示す回路ブロック図である。
【図１３】従来の遠隔点灯制御システムにおける安定器の構成を示す回路ブロック図である。
【発明を実施するための形態】
【００１２】
本発明の実施例にかかる無線通信装置２が取り付けられた安定器１の構成を示す斜視図を図１に、安定器１を断面図で示すその正面図を図２に示す。
これらの図に示す本発明の実施例にかかる無線通信装置２は、安定器１の金属製とされた安定器ケース１０の側面上に所定の間隔を持ってほぼ平行に取り付けられている。安定器１は、ＨＩＤランプ等の放電灯の点灯制御を行う安定器であり、図１３に示す制御部１１２ｂと同様の構成とされた制御部が安定器ケース１０に内蔵されている。放電灯の点灯制御を行う制御部は発熱することから、金属製の安定器ケース１０に内蔵されて、安定器ケース１０は制御部の放熱器も兼ねている。この安定器ケース１０の前面と後面とにそれぞれＬ字状に折曲された取付板３が設けられており、安定器ケース１０を取り付ける取付板３は安定器１が点灯制御する放電灯の近傍のＨ鋼及びＬ型アングル等の鉄骨に固着される。これにより、安定器１が放電灯の近傍に設置されるようになる。
【００１３】
細長い直方体状とされた安定器ケース１０には、図２に示すようにその４側面の長手方向にそれぞれスライドレール１１が形成されている。無線通信装置２は４側面のいずれの側面に形成されているスライドレール１１にも取り付けることができるが、図２に示す例では、取付板３の上側の側面に形成されているスライドレール１１に取付金具２１を介して無線通信装置２が取り付けられている。安定器ケース１０は、鉄、アルミニウム、ステンレス、亜鉛、銅、真鍮などの金属製とされる。安定器ケース１０の内側の４隅には取付板３を固着するためのネジ孔１０ａがそれぞれ形成されている。
スライドレール１１は、図２に示すように安定器ケース１０の側面に内側に若干凹んで形成された摺動面１１ａと、摺動面１１ａと側面との間に形成された溝部１１ｂとにより構成されている。この溝部１１ｂは、摺動面１１ａと重なるように平行にわずかに突出された側面と摺動面１１ａとにより形成されている。安定器ケース１０の側面の一部を拡大することによりスライドレール１１の詳細構成を図４に示す。図４において溝部１１ｂは断面図で示されており、２本の溝部１１ｂは安定器ケース１０の長手方向にほぼ平行に形成されている。この溝部１１ｂの入り口には奥に行くほど摺動面１１ａの幅（２本の溝部１１ｂの内縁間隔）が狭くなるように第１テーパ部１１ａが形成されており、第１テーパ部１１ａより若干奥の摺動面１１ａ上に凹部１０ｂとネジ部１０ｃとが並んで形成されている。凹部１０ｂは、さらに奥の摺動面１１ａ上にも形成されて、２つの凹部１０ｂが摺動面１１ａ上に形成されている。
【００１４】
次に無線通信装置２の構成を示す斜視図を図５に、無線通信装置２の内部構成を図６に示す。これらの図に示すように、無線通信装置２は合成樹脂製の無線部ケース２０と、無線部ケース２０の底面を閉塞するよう無線部ケース２０の底面に固着されている金属製の底板２２とから構成されている。図６に示すように底板２２の４隅にはそれぞれ立設部２２ａが切り起こして形成されており、４つの立設部２２ａの先端部が基板２３の４隅に形成された取付孔に挿入されてハンダ付け等により固着されている。基板２３はプリント基板とされており、図１３に示す無線部１１２ａと同様の構成の無線通信部の回路が組まれている。すなわち、基板２３には図示しない回路部品が設けられていると共にコネクタ２４が設けられている。このコネクタ２４には、安定器１の制御部と無線通信装置２とを接続するためのハーネスが接続される。このハーネスを介して、無線通信部で受信された指令信号が安定器１の制御部に送られると共に、安定器１から電源が無線通信部に供給される。また、基板２３の一縁部にアンテナ基板１２が立設されて固着されている。アンテナ基板１２には、アンテナエレメント２５ｂがプリントされており、アンテナエレメント２５ｂは例えば逆Ｆアンテナとされている。なお、安定器ケース１０に無線通信装置２が取り付けられた際に、アンテナエレメント２５ｂは安定器ケース１０の取付面にほぼ平行に配置される。
【００１５】
上記したように、無線部ケース２０と底板２２とにより形成される収納空間にプリント基板に組まれた無線部とアンテナ基板２５ａに形成されたアンテナエレメント２５ｂとが収納されている。底板２２の対向する縁部にはそれぞれ取付穴２２ｂが形成されており、この取付穴２２ｂを利用して取付金具２１が固着されている。取付金具２１の構成を示す斜視図を図８に示す。
図８に示すように取付金具２１は、平板状の取付面部２１ａと、取付面部２１ａの両側に折曲されて形成されたＬ字状の折曲部２１ｂとから構成されている。取付面部２１ａにおける折曲部２１ｂが形成されている側と直交する側の両縁部にそれぞれ挿通穴２１ｆが形成されている。この挿通穴２１ｆにそれぞれネジを挿通して無線通信装置２の底板２２の取付穴２２ｂに螺着することにより、取付金具２１が底板２２の下面に固着される。また、取付金具２１における取付面部２１ａとほぼ平行に配置された折曲部２１ｂの支持面部２１ｃ，２１ｃ’のそれぞれには、ほぼ中央に挿通孔２１ｄが形成されていると共に、挿通孔２１ｄの近傍に下面から下方へ突出しているほぼ円形のエンボス２１ｅが形成されている。また、図８における紙面の向こう側の支持面部２１ｃ’の幅は、溝部１１ｂの内縁の幅よりわずかに狭い幅とされており、紙面の手前側の支持面部２１ｃの両縁に取付面部２１ａに向かって次第に幅が狭くなる第２テーパ部２１ｇが形成されている。第２テーパ部２１ｇの終端における支持面部２１ｃの幅は、溝部１１ｂの内縁の幅よりわずかに狭い幅とされており、第２テーパ部２１ｇより前側の支持面部２１ｃの幅は、溝部１１ｂの第１テーパ部１１ａの始端の幅よりわずかに狭い幅とされている。
【００１６】
ここで、取付金具２１が底板２２に固着されている無線通信装置２を、安定器１に取り付ける態様が図３に示されている。取り付ける場合は、無線通信装置２に固着された取付金具２１の支持面部２１ｃ’を先にして安定器ケース１０のスライドレール１１における溝部１１ｂに挿通していく。支持面部２１ｃ’の幅は溝部１１ｂの内縁の幅よりわずかに狭い幅とされていることから、支持面部２１ｃ’は第１テーパ部１１ａにガイドされながら摺動面１１ａ上を摺動していく。そして、取付金具２１の支持面部２１ｃが溝部１１ｂに挿通されていくと、支持面部２１ｃに形成されている第２テーパ部２１ｇが溝部１１ｂに形成されている第１テーパ部１１ａに係合して、それ以上は奥に挿通されないようになる。この時に、支持面部２１ｃの挿通孔２１ｄの位置が摺動面１１ａにおけるネジ部１０ｃの位置に一致すると共に、支持面部２１ｃ，２１ｃ’のそれぞれのエンボス２１ｅの位置が摺動面１１ａにおけるそれぞれの凹部１０ｂにほぼ一致して、それぞれのエンボス２１ｅがそれぞれの凹部１０ｂに嵌合するようになる。嵌合する際には、クリック感が得られるようになる。次いで、挿通孔２１ｄから挿通したネジをネジ部１０ｃに螺着する。これにより、無線通信装置２を安定器１に固着することができる。このように、第１テーパ部１１ａと第２テーパ部２１ｇおよびエンボス２１ｅと凹部１０ｂにより、無線通信装置２の位置決めをすることができる。
なお、無線通信装置２を安定器１に取り付ける場合に、支持面部２１ｃを先にして安定器ケース１０のスライドレール１１における溝部１１ｂに挿通しようとしても、支持面部２１ｃの端部の幅は、溝部１１ｂの内縁の幅より広くされていることから、溝部１１ｂの第１テーパ部１１ａを超えて挿入することができず、支持面部２１ｃの幅により逆入れ防止の機能を果たしている。
【００１７】
無線通信装置２が安定器１の安定器ケース１０の側面上に固着されている構成が図２および図７に示されている。これらの図では安定器ケース１０は断面図で示されており、取付金具２１の支持面部２１ｃがスライドレール１１の溝部１１ｂから抜け出ないように固着されていることが分かる。また、図７においては無線部ケース２０が省略されて示されており、基板２３と安定器ケース１０の側面との所定間隔が間隔gapとされている。ここで、基板２３上にアンテナエレメント２５ｂが形成されているアンテナ基板２５ａが立設されていることから、この間隔gapはアンテナエレメント２５ｂの下端と安定器ケース１０の側面との間隔となる。安定器ケース１０上に無線通信装置２を取り付けた際に、安定器ケース１０はアンテナエレメント２５ｂの反射板として機能するようになり、間隔gapは反射板として効率的に機能させるためのパラメータとなる。
【００１８】
ここで、無線通信装置２に設定された周波数帯は、例えば２．４ＧＨｚ帯とされ、その自由空間の波長λは約１２５ｍｍとなる。各部の寸法の一例を挙げると図１に示す安定器ケース１０の幅Ｗ１は約１００ｍｍ（約０．８λ）、高さＨ１は約１００ｍｍ（約０．８λ）、長さＬ１は約３５０ｍｍ（約２．８λ）とされる。また、図５に示す無線通信装置２の幅Ｗ２は約６０ｍｍ（約０．４８λ）、高さＨ２は約２５ｍｍ（約０．２λ）、長さＬ２は約５２ｍｍ（約０．４１６λ）とされる。また、間隔gapは約１９ｍｍ（約０．１５２λ）とされる。
次に、無線通信装置２におけるアンテナエレメント２５ｂの電気的特性を図１０および図１１に示す。この場合、上記した寸法の無線通信装置２を、反射板とされる約０．５λ平方の金属板上に配置している。図１０は間隔gapを０．０５λから０．６λまで変化させた際のアンテナエレメント２５ｂの最大利得（Max Gain）の特性とされており、図１１は間隔gapを約０．２２λとした際のＹ−Ｚ面内（Ｘ，Ｙ，Ｚ方向は図１に示す通り）の指向特性とされている。
【００１９】
図１０に示すアンテナエレメント２５ｂの最大利得（Max Gain）の特性を参照すると、間隔gapを０．０５λから大きくするにつれて最大利得は上昇していき、約０．２２λとした時に約４．２ｄＢｉの最大利得のピークが得られる。約０．２２λを超えて間隔gapを大きくしていくと最大利得は次第に減少していくようになる。ここで、２．５ｄＢｉ以上の最大利得が得られれば実用上は問題がないことから、間隔gapは約０．０５λ〜約０．５１λとすることができる。なお、＊で示す最大利得は約０．５λ平方の反射板なしの場合であり、その最大利得は約２ｄＢｉしか得られない。
また、図１１には約０．５λ平方の反射板上に無線通信装置２を取り付けた場合の指向特性が実線で示されており、反射板を省略した場合の指向特性が破線で示されている。図１１を参照すると、反射板上に無線通信装置２を取り付けた場合は、反射板を省略した場合に比較して上方への放射が強くなると共に下方への不要波が抑えられるようになる。特に、反射板上に無線通信装置２を取り付けた場合は、垂直方向に対して約３０°〜約−９０°方向への放射が強まるようになる。上記した図１０および図１１の電気的特性を参照すると、約０．５λ平方の金属板が反射板として機能することから、無線通信装置２が取り付けられる安定器ケース１０の１辺を少なくとも０．５λ以上の大きさとすれば十分反射板として機能することが分かる。
【００２０】
ところで、安定器ケース１０は内蔵されている制御部の発熱によりケース温度が高くなって、この熱が無線通信装置２に伝わると無線通信装置２が誤動作することが考えられる。そこで、取付金具２１の取付面部２１ａ上面を樹脂素材の層で覆うようにする。この場合、樹脂素材の熱伝導率は一般に低いことが知られており、無線通信装置２の底板２２は熱伝導率の低い樹脂層を介して安定器ケース１０に接触するようになる。これにより、安定器ケース１０から無線通信装置２への熱伝導が少なくなり、無線通信装置２が誤動作することを防止することができる。また、取付面部２１ａの表面と裏面とを樹脂素材でモールドするようにしても良い。樹脂素材としては、ポリフェニレンエーテル、ポリフタルアミド、ポリフェニレンサルファイド、ポリテトラフルオロエチレン等の耐熱性の高い樹脂素材を用いることが好適とされる。
【００２１】
また、無線通信装置２は図１に示すように安定器ケース１０の側面に取り付けるようにしたが、図９に示すように安定器ケース１０の前面あるいは後面に取り付けるようにしても良い。この場合は、取付金具を図９に示すコ字状取付金具３０として、コ字状取付金具３０を無線通信装置２の底板２２に取り付ける。そして、コ字状取付金具３０の両側から下方へ延伸されている部位を安定器ケース１０の対向する側面にそれぞれ形成されているスライドレール１１の溝部１１ｂに挿通する。次いで、コ字状取付金具３０の両側から下方へ延伸されている部位に形成されている挿通孔から挿通したネジを摺動面１１ａに形成されているネジ部１０ｃに螺着する。これにより、無線通信装置２を安定器ケース１０の前面あるいは後面から間隔gapを持って固着することができる。また、位置決めのためにコ字状取付金具３０の両側から下方へ延伸されている部位に形成されている挿通孔の近傍にエンボスを形成して、エンボスを摺動面１１ａに形成されている凹部１０ｂに嵌合するようにしてもよい。安定器ケース１０の幅Ｗ１と高さＨ１は約０．８λとされていることから、無線通信装置２を安定器ケース１０の前面あるいは後面に取り付けても、安定器ケース１０は十分反射板として機能するようになる。
【産業上の利用可能性】
【００２２】
以上の説明において、安定器１は、ＨＩＤランプ等の放電灯の点灯制御を行う電子式の安定器としたが、安定器１はこれに限るものではなくＨＩＤランプ等の放電灯の点灯制御を行う銅鉄安定器、ＬＥＤ駆動電源用の安定器、蛍光灯用の電子式の安定器等とすることができる。
以上説明した安定器ケース１０における溝部１１ｂの入り口に形成された第１テーパ部１１ａと、支持面部２１ｃの両縁に形成された第２テーパ部２１ｇの角度は２０°以下とするのが好適とされる。
また、取付金具２１の２つの支持面部２１ｃ，２１ｃ’の内の支持面部２１ｃにのみ第２テーパ部２１ｇを形成したが、支持面部２１ｃの幅を支持面部２１ｃ’の幅と同様に溝部１１ｂの内縁の幅よりわずかに狭い幅として第２テーパ部２１ｇを省略するようにしても良い。
本発明にかかる無線通信装置は、安定器における安定器ケースの４側面のいずれの側面にも取り付けることができると共に、コ字状取付金具に変更することにより安定器ケースの前面あるいは後面にも取り付けることができる。このように、安定器ケース１０の６面のいずれに取り付けても、安定器ケース１０は無線通信装置に内蔵されたアンテナエレメントの反射板として機能するようになる。
また、無線通信装置に内蔵されるアンテナエレメントはプリントアンテナに限るものではなく、線条あるいは板状のアンテナエレメントを内蔵するようにしても良い。さらに、アンテナエレメントは逆Ｆアンテナに限るものではなく、種々の共振アンテナとすることができる。
【符号の説明】
【００２３】
１  安定器、２  無線通信装置、３  取付板、１０  安定器ケース、１０ａ  ネジ孔、１０ｂ  凹部、１０ｃ  ネジ部、１１  スライドレール、１１  安定器ケース、１１ａ  第１テーパ部、１１ａ  摺動面、１１ｂ  溝部、１２  アンテナ基板、２０  無線部ケース、２１  取付金具、２１ａ  取付面部、２１ｂ  折曲部、２１ｃ  支持面部、２１ｃ，  支持面部、２１ｄ  挿通孔、２１ｅ  エンボス、２１ｆ  挿通穴、２１ｇ  第２テーパ部、２２  底板、２２ａ  立設部、２２ｂ  取付穴、２３  基板、２４  コネクタ、２５ａ  アンテナ基板、２５ｂ  アンテナエレメント、３０  コ字状取付金具、１００  遠隔点灯制御システム、１１０  電源、１１１  送信装置、１１２，１１４，１１６  安定器、１１２ａ  無線部、１１２ｂ  制御部、１１３，１１５，１１７  ＨＩＤランプ、１３１  フィルタ、１３２  電源回路、１３３  降圧チョッパ回路、１３４  フルブリッジ回路、１３５  点灯回路、１３７  ＤＩＰスイッチ、１３９  無線回路、１４０  アンテナ
【図１】
2012174454.tif 000003
【図２】
2012174454.tif 000004
【図３】
2012174454.tif 000005
【図４】
2012174454.tif 000006
【図５】
2012174454.tif 000007
【図６】
2012174454.tif 000008
【図７】
2012174454.tif 000009
【図８】
2012174454.tif 000010
【図９】
2012174454.tif 000011
【図１０】
2012174454.tif 000012
【図１１】
2012174454.tif 000013
【図１２】
2012174454.tif 000014
【図１３】
2012174454.tif 000015